(57)【要約】【課題】本発明の目的は、近距離無線通信手段による検知時の意図しない誤操作を防止することである。【解決手段】ユーザの操作を受け付けるタッチパネルと、前記タッチパネルと略同一面となる外装面を有する外装部材と、前記タッチパネルの周囲近傍であって前記外装部材の内側に設けられ、検知範囲内に近づけられた検知対象物と通信する近距離無線通信手段と、を有する入力装置であって、前記外装部材の前記近距離無線通信手段に対応する位置を、前記タッチパネルよりも突出させるとともに、前記タッチパネル側が前記タッチパネルから離れる側より高くなるように傾斜させる。【選択図】    図４
2020110003.tif 000002
【特許請求の範囲】
【請求項１】
ユーザの操作を受け付けるタッチパネルと、前記タッチパネルと略同一面となる外装面を有する外装部材と、前記タッチパネルの周囲近傍であって前記外装部材の内側に設けられ、検知範囲内に近づけられた検知対象物と通信する近距離無線通信手段と、を有する入力装置であって、
前記外装部材の前記近距離無線通信手段に対応する位置を、前記タッチパネルよりも突出させるとともに、前記タッチパネル側が前記タッチパネルから離れる側より高くなるように傾斜させたことを特徴とする入力装置。
【請求項２】
前記外装部材の前記近距離無線通信手段に対応する位置を、前記タッチパネル側の前記タッチパネルからの突出量が５ｍｍ程度であり、前記タッチパネルから離れる側の前記タッチパネルからの突出量が０〜１ｍｍとなるように傾斜させたことを特徴とする請求項１に記載の入力装置。
【請求項３】
前記外装部材の前記近距離無線通信手段に対応する位置を、前記タッチパネルの中心線の近傍から避けた位置に配置したことを特徴とする請求項１又は請求項２に記載の入力装置。
【請求項４】
前記外装部材の前記近距離無線通信手段に対応する位置とは別の位置を、前記外装部材の前記近距離無線通信手段に対応する位置と同様に、前記タッチパネルよりも突出させるとともに、前記タッチパネルに近い側が前記タッチパネルから遠い側より高くなるように傾斜させたことを特徴とする請求項１乃至請求項３のいずれか１項に記載の入力装置。
【請求項５】
前記外装部材の前記近距離無線通信手段に対応する位置の前記タッチパネルからの突出量は、前記近距離無線通信手段による検知規格の下限を満たすことを特徴とする請求項１乃至請求項４のいずれか１項に記載の入力装置。
【請求項６】
前記外装部材の前記近距離無線通信手段に対応する位置の部位が、前記入力装置に対して着脱可能に設けられていることを特徴とする請求項１乃至請求項５のいずれか１項に記載の入力装置。
【請求項７】
ユーザの操作を受け付けるタッチパネルと、前記タッチパネルと略同一面となる外装面を有する外装部材と、前記タッチパネルの周囲近傍であって前記外装部材の内側に設けられた近距離無線通信手段と、を有する入力装置であって、
前記外装部材の前記近距離無線通信手段に対応する位置を、前記タッチパネル側が前記タッチパネルから離れる側より高くなるように傾斜させたことを特徴とする入力装置。
【請求項８】
前記外装部材の前記近距離無線通信手段に対応する位置に、前記近距離無線通信手段の検知位置を明示する目印を設けたことを特徴とする請求項１乃至請求項７のいずれか１項に記載の入力装置。
【請求項９】
前記タッチパネルは感圧式であることを特徴とする請求項１乃至請求項８のいずれか１項に記載の入力装置。
【請求項１０】
請求項１乃至請求項９のいずれか１項に記載の入力装置を有することを特徴とする画像形成装置。
【発明の詳細な説明】
【技術分野】
【０００１】
本発明は、入力装置、及びこれを備えた、ファクシミリ、複写機、多機能プリンタ（ＭＦＰ）等の画像形成装置に関する。
【背景技術】
【０００２】
近年、画像形成装置の入力装置として、タッチパネルを搭載した操作部の採用が進んでおり、Ａ３サイズの用紙を出力する画像形成装置は勿論のこと、Ａ４サイズの用紙を出力し、デスクトップへの載置を想定するような小型の画像形成装置へも波及しつつある。
【０００３】
また近年の傾向として、操作部表面の段差（各種ボタン、キー類は除く）をなくし、タッチパネル面と操作部のカバー表面とをほぼ同一面として、境界部に高さ段差を設けないフラットデザインが指向されている。
【０００４】
タッチパネルには複数の方式が存在し、従来は抵抗膜式（感圧式）が主流であるが、人の手の電気信号に反応し、より軽いタッチで操作可能な、静電容量式のタッチパネルへの移行も進みつつある。これらの方式には一長一短があり、例えば現時点におけるコスト優先の場合は抵抗膜式、操作感優先の場合は静電容量式、といった形で使い分けられている。
【０００５】
更に、近年の技術として、近距離無線通信手段（＝Ｎｅａｒ  Ｆｉｅｌｄ  Ｃｏｍｍｕｎｉｃａｔｉｏｎより、一般にＮＦＣと略称される）の搭載も進んでいる。これは、スマートフォンやタブレット等のモバイル機器からの各種認証を行ったり、またモバイル機器から画像形成装置のプリント出力操作を行うこと等を可能とする技術である。このＮＦＣの配置は、アクセス性や、モバイル機器からの入力情報の認識し易さ等の観点から、タッチパネルの近傍に配置されることが多い。
【０００６】
特許文献１では、ＮＦＣとタッチパネルを同一面に配置し、ＮＦＣが受け付けた操作に応じて処理を行い、タッチパネルが受け付けた操作を無効にする技術が開示されている。
【先行技術文献】
【特許文献】
【０００７】
【特許文献１】特開２０１５−１７９３１１号公報
【発明の概要】
【発明が解決しようとする課題】
【０００８】
しかしながら、特許文献１に記載の構成では、モバイル機器を、ＮＦＣ検知を行う目印部位にかざす際に、モバイル機器の端部やモバイル機器を持つ手指がタッチパネルに触れてしまい、ユーザの意図しない操作を引き起こすという課題があった。
【０００９】
本発明の目的は、近距離無線通信手段による検知時の意図しない誤操作を防止することである。
【課題を解決するための手段】
【００１０】
上記目的を達成するため、本発明は、ユーザの操作を受け付けるタッチパネルと、前記タッチパネルと略同一面となる外装面を有する外装部材と、前記タッチパネルの周囲近傍であって前記外装部材の内側に設けられ、検知範囲内に近づけられた検知対象物と通信する近距離無線通信手段と、を有する入力装置であって、前記外装部材の前記近距離無線通信手段に対応する位置を、前記タッチパネルよりも突出させるとともに、前記タッチパネル側が前記タッチパネルから離れる側より高くなるように傾斜させたことを特徴とする。
【発明の効果】
【００１１】
本発明によれば、近距離無線通信手段による検知時の意図しない誤操作を防止することができる。
【図面の簡単な説明】
【００１２】
【図１】実施例１に係る画像形成装置の外観斜視図である。
【図２】実施例１に係る画像形成装置の外観側面図である。
【図３】実施例１に係る操作部の外観正面図である。
【図４】実施例１に係る操作部の外観斜視図である。
【図５】実施例１に係る操作部の断面図である。
【図６】（ａ）（ｂ）は実施例１に係る操作部でＮＦＣを使用している斜視図である。
【図７】実施例２に係る操作部の外観斜視図である。
【図８】実施例３に係る操作部の外観斜視図である。
【図９】実施例４に係るに係る操作部の概観斜視図である。
【図１０】（ａ）（ｂ）は実施例４に係る操作部のＮＦＣ検知例を示す側面図である。
【図１１】実施例５に係る操作部の概観斜視図である。
【図１２】（ａ）（ｂ）は実施例５に係る操作部のＮＦＣ検知例を示す側面図である。
【発明を実施するための形態】
【００１３】
以下、図面を参照して、本発明の好適な実施の形態を例示的に詳しく説明する。ただし、以下の実施形態に記載されている構成部品の寸法、材質、形状、それらの相対配置などは、本発明が適用される装置の構成や各種条件により適宜変更されるべきものである。従って、特に特定的な記載がない限りは、本発明の範囲をそれらのみに限定する趣旨のものではない。
【００１４】
〔実施例１〕
以下、本発明に係る入力装置を備えた画像形成装置の実施形態について、図面を参照して具体的に説明する。図１は、実施例１に係る入力装置としての操作部を備えた画像形成装置の斜視図、図２は前記操作部を備えた画像形成装置の外観側面図である。
【００１５】
図１及び図２において、画像形成装置１００は、記録対象の記録紙等のシートに画像を形成する画像形成装置本体１０１と、前記画像形成装置本体１０１の上方に配置され、読取対象としての原稿等のシートの画像を読み取る画像読取装置２０１を備えている。更に画像形成装置１００は、入力装置としての操作部１０を備えている。操作部１０は、以下に説明するタッチパネル１や近距離無線通信手段（＝Ｎｅａｒ  Ｆｉｅｌｄ  Ｃｏｍｍｕｎｉｃａｔｉｏｎより、一般にＮＦＣと略称される。以下、ＮＦＣ。）３を有している。
【００１６】
画像形成装置１００における画像形成動作は、まず画像読取装置２０１、または装置本体に接続されたパソコン等の図示しない画像入力手段によって画像が装置に格納される。次に装置下方に設けられたシートカセット１０２から記録対象のシートが一枚ずつ送り出され、装置内部の画像形成部によって、格納されていた画像がシートに転写され、排紙トレイ１０３に出力される。
【００１７】
この際、シートの出力枚数や、画像サイズ等、各種出力条件は操作部１０から入力が行われ、それらの情報に基づいて装置の制御が行われる。操作部１０は、入力のし易さから、一般に画像読取装置２０１の手前など装置手前の上方に配置されることが多い。ここで、操作部１０を設けた側を、画像形成装置の装置手前側（正面側）とし、その反対側を装置奥側（背面側）とする。また装置手前側から見て、装置手前奥方向と直交する幅方向の一方を右側とし、他方を左側とする。
【００１８】
図１及び図２において、１はタッチパネルであり、パネル面をタッチすることで情報入力が行われ、ユーザの操作を受け付ける。２は外装部材としてのカバーであり、前記タッチパネル１と略同一面となる外装面を有している。すなわち、タッチパネル１が操作部１０のカバー２の表面（外装面）と略同一面となるよう配置されている。図５に示すように、ＮＦＣ３は、検知範囲内に近づけられたモバイル機器などの検知対象物と通信する。ＮＦＣ３は、前記タッチパネル１の周囲近傍であって前記カバー２の内側に設けられている。２ａはＮＦＣ３の検知位置であり、カバー２において内側に設けたＮＦＣ３に対応する位置である。
【００１９】
なお、タッチパネル１の方式は複数あり、大別してパネル面への物理的接触を電気的情報に変換する抵抗膜式（感圧式）と、パネル面に接触した手指が持つ微細な電気信号を検知する静電容量式がある。静電容量式は感度が高く、細かな操作への対応がし易いため、今後の主流になると考えられているが、現時点では抵抗膜式に対して高コストである。そのため、本実施例においては抵抗膜式（感圧式）のタッチパネルが採用されている。
【００２０】
ここでは、画像形成装置として、Ａ４サイズのシートを扱う画像形成装置を例示している。画像形成装置１００において、画像形成装置本体１０１と画像読取装置２０１は、幅、奥行き共に近しいサイズである。画像形成装置１００は、所定のサイズ（ここでは５ｉｎｃｈ）のタッチパネル１を使用した操作部１０を、本体よりも装置正面側に飛び出す配置としている。操作部１０を本体から突出した配置にすることで、操作部１０をその場でチルトさせることができ、身長の高いユーザから車いすを利用するユーザまで常に見やすい角度で使用することができる。
【００２１】
図３は実施例１に係る操作部の外観正面図、図４は操作部の外観斜視図、図５は操作部の断面図、図６（ａ）及び図６（ｂ）は実施例１に係る操作部にモバイル機器（検知対象物）を近づけてＮＦＣを使用している状態の斜視図である。
【００２２】
本実施例に係る画像形成装置は、タッチパネル１の装置正面から見て一方の側方（ここでは、装置正面から見て右側にＮＦＣ３の検知位置２ａを配置している。これにより、操作部１０が画像形成装置本体１０１の正面側に飛び出す量を抑えている。また、ＮＦＣ３の検知位置２ａは、操作部１０の表面（タッチパネル１と同一面）に対し、タッチパネル１よりも突出させている。さらにＮＦＣ３の検知位置２ａは、操作部１０の表面に対し、タッチパネル１に近い側が前記タッチパネル１から遠い側より高くなるように傾斜させている。具体的には、カバー２のＮＦＣ３に対応する検知位置２ａを、タッチパネル１に近い側のタッチパネル１からの突出量が５ｍｍ程度であり、タッチパネル１から遠い側のタッチパネル１からの突出量が０〜１ｍｍとなるように傾斜させている。ここでは、ＮＦＣ３の検知位置２ａは、タッチパネル１の表面より、タッチパネル１側（左側）を約５ｍｍ、タッチパネル１から離れた側（右側）を０．５ｍｍ程度高くし、面を突出させつつ傾斜させている。これにより、ＮＦＣ３の検知位置２ａにモバイル機器２０を近づける際、カバー２の突出面であり傾斜面である検知位置２ａの形状に合わせてモバイル機器２０を近づけるように誘導することができる。これにより、タッチパネル１に、モバイル機器２０やそのモバイル機器２０をもつ手、指が触れることがない。
【００２３】
図３及び図４で示すように、ユーザがページ移動等、タッチパネル１の画面上をフリップする場合、タッチパネル１の中央から上下左右に指を移動することが多い。この時、タッチパネル１が５ｉｎｃｈ以下のように小さいサイズであると、タッチパネル１の中央から矢印Ａ方向に指Ｙをフリップした際、タッチパネル１の外まで指を振る動作となる。たとえば、５ｉｎｃｈサイズのタッチパネル１の場合、画面幅は約１１ｃｍであり、画面中央からフリップを５０ｍｍすると、指Ｙの位置は画面の端部となる。フリップの場合、タッチパネル１から離れた位置でも指は振られているため、タッチパネル１の横に配置したＮＦＣ３の検知位置２ａの凸形状に触れてしまうことになる。７ｉｎｃｈサイズのタッチパネルの画面幅は約１５ｃｍでフリップ＋指Ｙの振り幅によってはタッチパネル１の横に配置したＮＦＣ３の検知位置２ａの凸形状に触れる可能性がある。
【００２４】
そこで、カバー２のＮＦＣ３に対応する検知位置２ａを、タッチパネル１の中心線ＣＬの近傍から避けた位置に配置している。詳しくは、タッチパネル１の中心線ＣＬからＮＦＣ３の検知位置２ａの凸形状の上端までの距離Ｂを５ｍｍ以上離して、ＮＦＣ３の検知位置２ａを配置している。ここでは、タッチパネル１の中心線ＣＬからの前記距離Ｂを１３ｍｍ離して、ＮＦＣ３の検知位置２ａを配置している。これにより、ＮＦＣ３の検知位置２ａの凸形状がフリップ動作を妨げることを防止でき、フリップで凸形状に触れることによる違和感を防止できる。ここで、タッチパネル１の中心線ＣＬとは、タッチパネル１の中心Ｃを通る水平方向の直線（図３に示す一点鎖線）である。
【００２５】
その他のフリップ動作としては、画面レイアウトによりフリップの起点が決まる場合がある。例えば、行を進める等、移動対象の行近くをタッチしてフリップする場合である。本実施例では横書きのタッチパネル画面を採用しており、左詰めで画面表示されるため、タッチパネル１の画面の左側の何れかの場所が起点となる。そこから上下にフリップする動作となるため、タッチパネル１の右側に配置されたＮＦＣ３の検知位置２ａの凸形状に触れることはない。
【００２６】
一方、縦書きのタッチパネル画面を採用した場合、画面の奥側（図３のタッチパネル１の画面の上側）がフリップの起点となる。そこから左右にフリップする動作となるため、タッチパネル１の中心より正面側（図３のタッチパネル１の画面の下側）に配置されたＮＦＣ３の検知位置２ａの凸形状に触れることはない。なお、縦書きのタッチパネル画面を採用した場合は、ＮＦＣ３の検知位置２ａを、図３に示すタッチパネル１の右側ではなく、タッチパネル１の正面側（図３のタッチパネル１の画面の下側）に配置してもよい。
【００２７】
またＮＦＣ３によるアクセスを行うには、ＮＦＣ３から所定の距離内にモバイル機器２０（図６参照）をかざす必要がある。そのため、図３及び図４に示すように、カバー２のＮＦＣ３に対応する検知位置２ａに、モバイル機器２０をかざす為の目印として、検知位置を明示するための目印（十字マーク）２ｂを設けている。
【００２８】
図５に示すように、操作部１０の上面に対し、ＮＦＣ３の検知位置２ａを、タッチパネル１よりも突出させている。さらにＮＦＣ３の検知位置２ａを、タッチパネル１側（左側）のタッチパネル１からの突出量が約５ｍｍ、タッチパネル１から離れる側（右側）がタッチパネル１からの突出量を０．５ｍｍ程度の高さにし、傾斜させている。これにより、ＮＦＣ３（具体的には検知部を有するＮＦＣ検知基板）から、カバー２のＮＦＣ３に対応する検知位置２ａまでの距離が５ｍｍ以下となるようにしている。これは、モバイル機器２０のＮＦＣ３の検知規格の下限５ｍｍを満たすためのものでもある。
【００２９】
ＮＦＣ３を、これと対向するカバー２の検知位置２ａと並行に隣接させて配置することで、ＮＦＣ３の検知位置２ａの高さを５ｍｍよりも高くできる。
【００３０】
図６（ａ）に示すように、ＮＦＣ３の検知位置２ａをタッチパネル１の右側に配置した操作部１０であって、ＮＦＣ３の検知位置２ａをタッチパネル１の中心より装置正面側に配置する。これにより、モバイル機器２０を持つ手Ｔがタッチパネル１上から外れた位置となり、指等による誤操作を防いでいる。
【００３１】
図６（ｂ）に示すように、手Ｔで持った小型（幅８０ｍｍ程度）のモバイル機器２０をＮＦＣ３の検知位置２ａに接触させた場合であっても、ＮＦＣ３の検知位置２ａの面を突出させ且つ傾斜させている。これにより、モバイル機器２０のタッチパネル側の端部はタッチパネル１の表面から所定の高さ（ここでは１５ｍｍ程度）浮いた状態となり、指が意図せずタッチパネル１に触れることを防いでいる。
【００３２】
このように、本実施例によれば、モバイル機器２０をＮＦＣ３に対応する検知位置２ａにかざした際に、モバイル機器の端部やモバイル機器を持つ手指がタッチパネルに触れてしまうなどの、ユーザの意図しない誤操作を防止することができる。
【００３３】
〔実施例２〕
図７を用いて、実施例２に係る操作部について説明する。なお、画像形成装置の概略構成及び操作部の基本構成は、前述した実施例１と同様であるため、その説明は省略する。また、本実施例において、前述した実施例１と同等の機能を有する部材には同一符号を付している。
【００３４】
本実施例では、カバー２のＮＦＣ３に対応する検知位置２ａとは別の位置を、前記検知位置と同様に、タッチパネル１よりも突出させるとともに、タッチパネル１に近い側がタッチパネル１から遠い側より高くなるように傾斜させている。
【００３５】
図７は、実施例２に係る操作部の外観斜視図である。図７において、４はＮＦＣの検知位置２ａの凸形状の傾斜面と同一面となるように設けた凸形状である。タッチパネル１の中心線ＣＬより操作部１０の正面側に設けた検知位置２ａの凸形状に対し、凸形状４はタッチパネル１の中心線ＣＬより操作部１０の奥側に設けている。
【００３６】
モバイル機器として大型のタブレットを使用した場合、タブレットのＮＦＣ位置により操作部１０が見えくなってしまうことがある。この時、操作部１０に対しタブレットの奥側が正面側に比べ下がってしまう等、タブレットの奥側がタッチパネル１に触れてしまい誤検知をするおそれがある。
【００３７】
そこで、本実施例では、操作部１０の奥側に、操作部１０の正面側に設けたＮＦＣ３の検知位置２ａとは別に、前述した凸形状４を設けている。これにより、凸形状４が操作部１０の奥側で先にタブレットと接触し受けることができ、そのままタブレットを近づけると、ＮＦＣの検知位置２ａと凸形状４の２か所で受けることができる。これにより、モバイル機器２０として大型のタブレットを使用した場合であっても、タッチパネル１への誤操作を防止することができる。
【００３８】
また、凸形状４の位置はタッチパネル１の中心線ＣＬから奥側へ５ｍｍ以上（ここでは３０ｍｍ）離れた位置に配置している。これにより、タッチパネル１を操作した場合のフリップの妨げとなることもない。
【００３９】
〔実施例３〕
図８を用いて、実施例３に係る操作部について説明する。なお、画像形成装置の概略構成及び操作部の基本構成は、前述した実施例１と同様であるため、その説明は省略する。また、本実施例において、前述した実施例１と同等の機能を有する部材には同一符号を付している。
【００４０】
前述した実施例１，２では、タッチパネル１が比較的小さいサイズの場合を考慮して、ＮＦＣ３の検知位置２ａや凸形状４を、タッチパネル１を操作した際のフリップの妨げにならない位置に設けた構成を例示した。しかし、本発明はこれに限定されるものではない。
【００４１】
図８は、実施例３に係る操作部の外観斜視図である。図８に示す操作部１０では、タッチパネル１を、フリップ操作に対して十分大きいサイズにしている。この場合は、図８に示すように、カバー２のＮＦＣ３に対応する検知位置２ａの凸形状を、部分的にではなく、右側全域に設けてもよい。
【００４２】
このように、タッチパネル１をフリップ操作に対して十分に大きくすれば、ＮＦＣ３に対応する検知位置２ａの凸形状が右側全域に設けられていても、フリップの妨げとなることはなく、なおかつＮＦＣ検知時の意図しない誤操作を防止できる。
【００４３】
〔実施例４〕
図９及び図１０を用いて、実施例４に係る操作部について説明する。なお、画像形成装置の概略構成及び操作部の基本構成は、前述した実施例１と同様であるため、その説明は省略する。また、本実施例において、前述した実施例と同等の機能を有する部材には同一符号を付している。
【００４４】
なお、前述した実施例では、操作部１０はタッチパネル以外の情報入力手段を持たない構成を例示したが、これに限定されるものではない。図９に示すように、本実施例に係る操作部１０は、タッチパネル以外の情報入力手段として、テンキー４０やスタートキー４１等の、各種キー類を備えた構成としている。
【００４５】
一方、画像形成装置へのタッチパネル１の搭載サイズは、Ａ３等のラージ紙を出力可能な装置を起点として徐々にワイド化しており、対角が１０インチを超えるサイズも珍しくない。図９におけるタッチパネル１のサイズは１０インチであり、その右側に前述した各種キー類を備えている。
【００４６】
本実施例に係る操作部１０では、図９に示すように、タッチパネル１の横幅寸法の更なる大サイズ化を避ける為、ＮＦＣ３を、タッチパネル１の周囲近傍のうち、タッチパネル１の手前側（正面側）に配置している。すなわち、カバー２のＮＦＣ３に対応する検知位置２ａを、タッチパネル１の左右ではなく、手前側に配置している。
【００４７】
なお、ＮＦＣ３によるモバイル機器２０の検知範囲は、電車の自動改札で用いられているような１００ｍｍ程度のように広範囲なものもあるが、機能とコスト、サイズのバランスから、本実施例に係る操作部１０においては２０ｍｍ程度となっている。従って、ＮＦＣのアクセス時は、この範囲にモバイル機器が入るよう、タッチパネル１に近接させてモバイル機器をかざす必要がある。
【００４８】
図９は実施例４に係る操作部１０の外観斜視図であり、図１０（ａ）及び図１０（ｂ）は実施例４に係る操作部１０の側面図である。
【００４９】
本実施例に係る操作部１０は、図９に示すように、カバー２のＮＦＣ３に対応する検知位置２ａを、タッチパネル１の手前側に設けている。また、カバー２のＮＦＣ３に対応する検知位置２ａを、タッチパネル側がタッチパネル１から離れる側より高くなるように傾斜させている。すなわち、カバー２のＮＦＣ３に対応する検知位置２ａに、タッチパネル１の表面に対し所定の勾配をつけた傾斜面５を設けている。この傾斜面５は、タッチパネル１の手前側の横幅全域に設けられている。
【００５０】
またＮＦＣによるアクセスを行うには、ＮＦＣ３から所定の距離内にモバイル機器２０をかざす必要がある。そのため、図９に示すように、カバー２のＮＦＣ３に対応する検知位置２ａに、モバイル機器２０をかざす為の目印として、検知位置を明示するための目印（十字マーク）２ｂを設けている。
【００５１】
操作部１０で目印２ｂにモバイル機器２０をかざす場合、前記検知位置２ａを含む傾斜面５に平行にかざすよう誘導する効果が期待できる。傾斜面５は、タッチパネル１側が持ち上がるような勾配が付けられているため、傾斜面５にモバイル機器２０を平行にかざすか当接させれば、タッチパネル１側のモバイル機器２０の端部２０ａは、自然と持ち上げることになる。図１０（ｂ）には、傾斜面５における目印２ｂ（図９参照）に当接させた状態のモバイル機器２０が示されているが、モバイル機器２０の端部２０ａがタッチパネル１から離れる方向に誘導されていることが分かる。
【００５２】
以上の説明により、本実施例においては、この傾斜面５を設けることで、操作部等の入力装置のコストアップやデザイン性を落とすことなく、低コストかつ簡易な構成で、モバイル機器２０によるタッチパネル１の画面の誤操作を低減する効果が得られる。
【００５３】
なお、傾斜面５は必ずしも操作部１０の横幅全域である必要はなく、モバイル機器２０の横幅以上の範囲であれば、部分的に設けられている構成であっても、画面の誤操作を低減する効果が得られる。
【００５４】
〔実施例５〕
図１１及び図１２を用いて、実施例５に係る操作部について説明する。なお、画像形成装置の概略構成及び操作部の基本構成は、前述した実施例１と同様であるため、その説明は省略する。また、本実施例において、前述した実施例と同等の機能を有する部材には同一符号を付している。
【００５５】
図１１は実施例５に係る操作部１０の外観斜視図であり、図１２（ａ）及び図１２（ｂ）は実施例５に係る操作部１０の側面図である。
【００５６】
本実施例に係る操作部１０は、前述した実施例４の操作部１０と同様に、図１１に示すように、カバー２のＮＦＣ３に対応する検知位置２ａを、タッチパネル１の手前側に設けている。また、カバー２のＮＦＣ３に対応する検知位置２ａを、タッチパネル側がタッチパネル１から離れる側より高くなるように傾斜させている。すなわち、カバー２のＮＦＣ３に対応する検知位置２ａに、タッチパネル１の表面に対し所定の勾配をつけた傾斜面５を設けている。さらに、この傾斜面５は、図１２（ａ）及び図１２（ｂ）に示すように、タッチパネル１と略同一面のカバー２の表面より所定量（突出量）Ｌで突出した凸傾斜面となっている。
【００５７】
また前述した実施例と同様に、図１１に示すように、カバー２のＮＦＣ３に対応する検知位置２ａに、モバイル機器２０をかざす為の目印として、検知位置を明示するための目印（十字マーク）２ｂを設けている。
【００５８】
操作部１２で目印２ｂにモバイル機器２０をかざす場合、前記検知位置２ａを含む突出した傾斜面５に平行にかざすよう誘導する効果が期待できる。この突出した傾斜面５は、タッチパネル１側が持ち上がるような勾配が付けられているため、突出した傾斜面５にモバイル機器２０を平行にかざすか当接させれば、タッチパネル１側のモバイル機器２０の端部２０ａは、自然と持ち上がることになる。
【００５９】
また、本実施例の傾斜面３２は、カバー２の表面より所定量（突出量）Ｌで突出している。そのため、図１２（ｂ）に示すように、目印２ｂにモバイル機器２０をかざした際に、モバイル機器２０がタッチパネル１より先に傾斜面５に当接する。これにより、モバイル機器２０のタッチパネル１への接触が妨げられている。即ち、この突出量Ｌによって、モバイル機器２０がタッチパネル１に接触することを妨げる効果が、より積極的に得られる。
【００６０】
なお、突出量Ｌは大きいほど、タッチパネル１の画面の誤操作を防止する効果が得られるが、無制限ではない。ＮＦＣ３によるモバイル機器２０の検知範囲が２０ｍｍ程度である以上、突出量Ｌが２０ｍｍを超えてしまうと、モバイル機器２０の検知ができなくなってしまう。従って、誤操作の防止効果と検知範囲のバランスから、突出量Ｌは１０ｍｍ以下であることが望ましく、本実施例（図１１及び図１２）においては、５ｍｍになっている。
【００６１】
以上の説明により、本実施例においても、突出した傾斜面５を設けることで、操作部等の入力装置のコストアップやデザイン性を落とすことなく、低コストかつ簡易な構成で、モバイル機器２０によるタッチパネル１の画面の誤操作を低減する効果が得られる。
【００６２】
なお、突出した傾斜面５の横幅方向の寸法は、突出量Ｌが等しければ誤操作の低減効果がさほどに変わらないため、モバイル機器２０の横幅寸法より小さくても良く、または操作部１０の横幅寸法の全域であっても良い。
【００６３】
更に、カバー２のＮＦＣ３に対応する検知位置２ａの部位である、突出した傾斜面５は、操作部１０のカバー２の表面３０と一体である必要はなく、操作部１０より着脱可能な構成であっても良い。
【００６４】
〔他の実施例〕
なお、前述した実施例では、タッチパネルの方式として、パネル面への物理的接触を電気的情報に変換する抵抗膜式（感圧式）を採用したが、これに限定されるものではなく、パネル面に接触した手指が持つ微細な電気信号を検知する静電容量式であっても良い。
【００６５】
また画像形成装置としては、プリンタ、複写機、ファクシミリ装置等の他の画像形成装置や、或いはこれらの機能を組み合わせた複合機等の他の画像形成装置であっても良い。これらの画像形成装置に用いられる入力装置に本発明を適用することにより同様の効果を得ることができる。
【符号の説明】
【００６６】
ＣＬ …中心線
Ｔ …手
Ｙ …指
１ …タッチパネル
２ …カバー
２ａ …検知位置
２ｂ …目印
４ …凸形状
５ …傾斜面
１０ …操作部
２０ …モバイル機器
２０ａ …端部
１００ …画像形成装置
１０１ …画像形成装置本体
２０１ …画像読取装置
【図１】
2020110003.tif 000003
【図２】
2020110003.tif 000004
【図３】
2020110003.tif 000005
【図４】
2020110003.tif 000006
【図５】
2020110003.tif 000007
【図６】
2020110003.tif 000008
【図７】
2020110003.tif 000009
【図８】
2020110003.tif 000010
【図９】
2020110003.tif 000011
【図１０】
2020110003.tif 000012
【図１１】
2020110003.tif 000013
【図１２】
2020110003.tif 000014